(57)【要約】【課題】ＳＡＷフィルターの減衰特性が低下してしまうことを防止する。【解決手段】プリント基板１２上の実装領域１３に装着されたランガサイトを圧電体として備えるＳＡＷフィルター１１の表面１１Ａ上に、導電性シートからなる保護部材１５を載置し、表面１１Ａを覆う保護部材１５の導電性被覆面１５Ａの大きさを表面１１Ａと同等の大きさに、もしくは、表面１１Ａより小さく設定した。プリント基板１２上にＳＡＷフィルター１１の実装領域１３の周囲を取り囲むようにして、金属からなる枠状のシールド枠部材１６を設け、シールド枠部材１６をプリント基板１２とによって両側から挟み込むようにして、金属からなる蓋状のシールド蓋部材１７を設け、ＳＡＷフィルター１１の表面１１Ａ上に載置された保護部材１５の導電性被覆面１５Ｂがシールド蓋部材１７の内面１７Ａに面接触するように設定した。【選択図】　　　図２
2004032158.tif 000002
【特許請求の範囲】
【請求項１】
フィルターを実装するための実装領域を有するプリント基板と、
該プリント基板の前記実装領域に装着されるフィルターと、
導電性の表面を有し、前記フィルターの表面に当接する保護部材とを備え、
前記フィルターの表面に当接する前記保護部材の前記導電性の表面は、前記フィルターの表面と同等の大きさに、もしくは、前記フィルターの表面より小さくなるように設定されていることを特徴とするシールド構造を有する電子部品。
【請求項２】
前記フィルターおよび前記保護部材を覆うシールドボックスを備え、
前記保護部材の前記導電性の表面は、前記シールドボックスの内面と当接することを特徴とする請求項１に記載のシールド構造を有する電子部品。
【請求項３】
前記保護部材は弾性変形可能とされ、
前記保護部材の前記導電性の表面が前記フィルターの表面および前記シールドボックスの内面に当接した状態で弾性変形した前記保護部材の厚さは、自然状態での厚さの５０〜８０％になるように設定されていることを特徴とする請求項２に記載のシールド構造を有する電子部品。
【請求項４】
前記保護部材は略円柱形に形成され、該保護部材の軸線方向が前記フィルター内における入力信号の伝送方向と平行になるように配置されていることを特徴とする請求項１から請求項３の何れかに記載のシールド構造を有する電子部品。
【請求項５】
前記保護部材は略円柱形に形成され、該保護部材の軸線方向が前記フィルター内における入力信号の伝送方向と交差するように配置されていることを特徴とする請求項１から請求項３の何れかに記載のシールド構造を有する電子部品。
【請求項６】
前記フィルターは、ランガサイトを圧電体とし、前記圧電体の表面を伝わる表面弾性波を利用して、所定の周波数帯域の信号を通過させることを特徴とする請求項１から請求項５の何れかに記載のシールド構造を有する電子部品。
【請求項７】
請求項１から請求項６の何れかに記載の電子部品を備えたことを特徴とする通信システムにおける増幅装置。
【請求項８】
請求項１から請求項６の何れかに記載の電子部品、および、請求項７に記載の増幅装置の何れかを備えたことを特徴とする通信システムにおける分配装置。
【請求項９】
請求項１から請求項６の何れかに記載の電子部品、および、請求項７に記載の増幅装置の何れかを備えたことを特徴とする通信システムにおける合成装置。
【請求項１０】
請求項１から請求項６の何れかに記載の電子部品、および、請求項７に記載の増幅装置の何れかを備えたことを特徴とする通信システムにおける切替装置。
【請求項１１】
請求項１から請求項６の何れかに記載の電子部品、および、請求項７に記載の増幅装置、および、請求項８に記載の分配装置、および、請求項９に記載の合成装置、および、請求項１０に記載の切替装置の何れかを備えたことを特徴とする通信システムにおける受信装置。
【請求項１２】
請求項１から請求項６の何れかに記載の電子部品、および、請求項７に記載の増幅装置、および、請求項８に記載の分配装置、および、請求項９に記載の合成装置、および、請求項１０に記載の切替装置の何れかを備えたことを特徴とする通信システムにおける送信装置。
【請求項１３】
請求項１１に記載の受信装置および請求項１２に記載の送信装置を備えたことを特徴とする移動体通信システムにおける移動局装置。
【請求項１４】
請求項１１に記載の受信装置および請求項１２に記載の送信装置を備えたことを特徴とする移動体通信システムにおける基地局装置。
【請求項１５】
請求項１から請求項６の何れかに記載の電子部品、および、請求項７に記載の増幅装置、および、請求項８に記載の分配装置、および、請求項９に記載の合成装置、および、請求項１０に記載の切替装置、および、請求項１１に記載の受信装置、および、請求項１２に記載の送信装置、および、請求項１３に記載の移動局装置、および、請求項１４に記載の基地局装置の何れかを備え、無線通信を行うことを特徴とする無線通信装置。
【発明の詳細な説明】
【０００１】
【発明の属する技術分野】
本発明は、例えばランガサイト等の圧電体からなるＳＡＷ（Ｓｕｒｆａｃｅ　ＡｃｏｕｓｔｉｃＷａｖｅ）フィルターを実装するシールド構造を有する電子部品、および、該電子部品を備えた通信システムにおける増幅装置および分配装置および合成装置および切替装置および受信装置および送信装置、および、該電子部品を備えた移動体通信システムにおける移動局装置および基地局装置、および、該電子部品を備えた無線通信装置に関する。
【０００２】
【従来の技術】
従来、例えば水晶等の圧電材料の表面を伝わる表面弾性波（Ｓｕｒｆａｃｅ　ＡｃｏｕｓｔｉｃＷａｖｅ）を利用して、所定の周波数帯域の周波数信号だけを通過させることで、ノイズを除去するＳＡＷフィルターが知られている。
このようなＳＡＷフィルターにおいては、例えば水晶と同様な結晶構造を有するランガサイト（Ｌａ３Ｇａ５ＳｉＯ１４）等の圧電材料を備えることで、水晶に比べてより高い減衰特性を得ることができる。
そして、このようなＳＡＷフィルターを備える電子部品では、プリント基板等の適宜の電子回路基板上に装着されたＳＡＷフィルターに対して、例えばシート状等の導電性の保護部材が載置され、さらに、金属製等のシールドケースによってＳＡＷフィルターの周囲が覆われることで、電磁波や雑音の影響が低減されるように設定されている。
【０００３】
【発明が解決しようとする課題】
ところで、上述したような従来技術に係るＳＡＷフィルターを備える電子部品では、ＳＡＷフィルターに載置される導電性の保護部材の形状や大きさに応じて、減衰特性が低下してしまう場合があり、所望の減衰特性を得ることができなくなる虞がある。
【０００４】
本発明は上記事情に鑑みてなされたもので、例えばＳＡＷフィルター等のフィルターの減衰特性が低下してしまうことを防止することが可能なシールド構造を有する電子部品、および、該電子部品を備えた通信システムにおける増幅装置および分配装置および合成装置および切替装置および受信装置および送信装置、および、該電子部品を備えた移動体通信システムにおける移動局装置および基地局装置、および、該電子部品を備えた無線通信装置を提供することを目的としている。
【０００５】
【課題を解決するための手段】
上記課題を解決して係る目的を達成するために、請求項１に記載の本発明のシールド構造を有する電子部品は、フィルターを実装するための実装領域（例えば、後述する実施の形態における実装領域１３）を有するプリント基板（例えば、後述する実施の形態におけるプリント基板１２）と、該プリント基板の前記実装領域に装着されるフィルター（例えば、後述する実施の形態におけるＳＡＷフィルター１１）と、導電性の表面（例えば、後述する実施の形態における導電性被覆面１５Ａ，１５Ｂ）を有し、前記フィルターの表面（例えば、後述する実施の形態における表面１１Ａ）に当接する保護部材（例えば、後述する実施の形態における保護部材１５）とを備え、前記フィルターの表面に当接する前記保護部材の前記導電性の表面（例えば、後述する実施の形態における導電性被覆面１５Ａ）は、前記フィルターの表面と同等の大きさに、もしくは、前記フィルターの表面より小さくなるように設定されていることを特徴としている。
【０００６】
上記構成のシールド構造を有する電子部品によれば、フィルターの表面に当接し、このフィルターの表面を覆う保護部材の表面の大きさが、フィルターの表面と同等の大きさに、もしくは、フィルターの表面より小さく形成されることにより、フィルターに入力される入力信号が、例えばフィルターの表面の上方の空間やプリント基板上等を伝搬してしまうことを抑制して、確実にフィルター内を伝送するように設定することができると共に、外部からの電磁波や雑音の影響を確実に抑制することができる。これにより、フィルターに入力される入力信号に対するフィルターの減衰特性が低下することを防止することができる。
【０００７】
さらに、請求項２に記載の本発明のシールド構造を有する電子部品は、前記フィルターおよび前記保護部材を覆うシールドボックス（例えば、後述する実施の形態におけるシールド枠部材１６およびシールド蓋部材１７）を備え、前記保護部材の前記導電性の表面（例えば、後述する実施の形態における導電性被覆面１５Ｂ）は、前記シールドボックスの内面（例えば、後述する実施の形態における内面１７Ａ）と当接することを特徴としている。
【０００８】
上記構成のシールド構造を有する電子部品によれば、フィルターの表面に当接するように配置された保護部材が、さらに、シールドボックスの内面に当接するように設定されることにより、フィルターに入力される入力信号が、例えばフィルターの表面の上方の空間やプリント基板上等を伝搬してしまうことを抑制して、確実にフィルター内を伝送するように設定することができると共に、外部からの電磁波や雑音の影響を確実に抑制することができる。これにより、フィルターに入力される入力信号に対するフィルターの減衰特性が低下することを、より一層、確実に防止することができる。
【０００９】
さらに、請求項３に記載の本発明のシールド構造を有する電子部品では、前記保護部材は弾性変形可能とされ、前記保護部材の前記導電性の表面が前記フィルターの表面および前記シールドボックスの内面に当接した状態で弾性変形した前記保護部材の厚さは、自然状態での厚さの５０〜８０％になるように設定されていることを特徴としている。
【００１０】
上記構成のシールド構造を有する電子部品によれば、フィルターの表面およびシールドボックスの内面に当接するように配置された保護部材の位置ずれ等を防止することができ、フィルターの所望の減衰特性を安定的に再現性良く得ることができる。
ここで、例えば弾性変形状態の保護部材の厚さが自然状態の５０％未満になると、保護部材を弾性変形状態に保持するために要する加重が過剰に大きくなり、フィルターの破損等が発生する虞があり、逆に、弾性変形状態の保護部材の厚さが自然状態の８０％を超えると、保護部材の位置ずれ等を防止することができなくなる。
しかも、弾性変形状態の保護部材においても、フィルターの表面を覆う保護部材の表面の大きさが、フィルターの表面と同等の大きさに、もしくは、フィルターの表面より小さく設定されていることで、例えばフィルターの表面から下方に向かい沈み込む部分や、フィルターの表面上から外側に向かい突出する部分等が形成されることが防止され、フィルターに入力される入力信号に対するフィルターの減衰特性が低下することを確実に防止することができる。
【００１１】
さらに、請求項４に記載の本発明のシールド構造を有する電子部品では、前記保護部材は略円柱形に形成され、該保護部材の軸線方向が前記フィルター内における入力信号の伝送方向（例えば、後述する実施の形態における伝送方向Ｐ）と平行になるように配置されていることを特徴としている。
【００１２】
上記構成のシールド構造を有する電子部品によれば、フィルターに入力される入力信号が、例えばフィルターの表面の上方の空間やプリント基板上等を伝搬してしまうことを抑制して、確実にフィルター内を伝送するように設定することができると共に、外部からの電磁波や雑音の影響を確実に抑制することができる。これにより、フィルターに入力される入力信号に対するフィルターの減衰特性が低下することを防止することができる。
【００１３】
さらに、請求項５に記載の本発明のシールド構造を有する電子部品では、前記保護部材は略円柱形に形成され、該保護部材の軸線方向が前記フィルター内における入力信号の伝送方向（例えば、後述する実施の形態における伝送方向Ｐ）と交差するように配置されていることを特徴としている。
【００１４】
上記構成のシールド構造を有する電子部品によれば、フィルターに入力される入力信号が、例えばフィルターの表面の上方の空間やプリント基板上等を伝搬してしまうことを抑制して、確実にフィルター内を伝送するように設定することができると共に、外部からの電磁波や雑音の影響を確実に抑制することができる。これにより、フィルターに入力される入力信号に対するフィルターの減衰特性が低下することを、より一層、確実に防止することができる。
【００１５】
さらに、請求項６に記載の本発明のシールド構造を有する電子部品では、前記フィルターは、ランガサイトを圧電体とし、前記圧電体の表面を伝わる表面弾性波を利用して、所定の周波数帯域の信号を通過させることを特徴としている。
【００１６】
上記構成のシールド構造を有する電子部品によれば、入力信号に対するフィルターの減衰特性が低下することを防止して、例えば水晶等を圧電体として備えるＳＡＷフィルターに比べて、より高い所望の減衰特性を確実に得ることができる。
【００１７】
さらに、請求項７に記載の本発明の通信システムにおける増幅装置（例えば、後述する実施の形態における増幅装置２０）は、請求項１から請求項６の何れかに記載の電子部品を備えたことを特徴としている。
上記構成の通信システムにおける増幅装置によれば、入力信号に雑音が混入した場合でも、所望の信号のみを増幅して送出することができる。
【００１８】
さらに、請求項８に記載の本発明の通信システムにおける分配装置（例えば、後述する実施の形態における分配装置３０）は、請求項１から請求項６の何れかに記載の電子部品、および、請求項７に記載の増幅装置の何れかを備えたことを特徴としている。
上記構成の通信システムにおける分配装置によれば、入力信号に雑音が混入した場合でも、所望の信号のみを分配して送出することができる。
【００１９】
さらに、請求項９に記載の本発明の通信システムにおける合成装置（例えば、後述する実施の形態における合成装置４０）は、請求項１から請求項６の何れかに記載の電子部品、および、請求項７に記載の増幅装置の何れかを備えたことを特徴としている。
上記構成の通信システムにおける合成装置によれば、入力信号に雑音が混入した場合でも、所望の信号のみを合成して送出することができる。
【００２０】
さらに、請求項１０に記載の本発明の通信システムにおける切替装置（例えば、後述する実施の形態における切替装置５０）は、請求項１から請求項６の何れかに記載の電子部品、および、請求項７に記載の増幅装置の何れかを備えたことを特徴としている。
上記構成の通信システムにおける切替装置によれば、例えば電子部品または増幅装置に入力信号を導入する第１の伝送路と、例えば入力信号を単に通過させるだけの第２の伝送路等を備え、これらの何れかの伝送路を切り替えて使用することによって、入力信号に対して多様な処理を行うことが可能となる。
例えば入力信号に混入する雑音が大きい場合等においては、第１の伝送路を使用して入力信号の帯域を制限し、所望の信号のみを伝送させ、例えば帯域制限が不要な場合には、第２の伝送路を使用する。
【００２１】
さらに、請求項１１に記載の本発明の通信システムにおける受信装置（例えば、後述する実施の形態における受信装置６０）は、請求項１から請求項６の何れかに記載の電子部品、および、請求項７に記載の増幅装置、および、請求項８に記載の分配装置、および、請求項９に記載の合成装置、および、請求項１０に記載の切替装置の何れかを備えたことを特徴としている。
上記構成の通信システムにおける受信装置によれば、受信される信号に対して、例えば妨害信号等が混入している場合であっても、所望の信号のみを抽出することができる。
【００２２】
さらに、請求項１２に記載の本発明の通信システムにおける送信装置（例えば、後述する実施の形態における送信装置７０）は、請求項１から請求項６の何れかに記載の電子部品、および、請求項７に記載の増幅装置、および、請求項８に記載の分配装置、および、請求項９に記載の合成装置、および、請求項１０に記載の切替装置の何れかを備えたことを特徴としている。
上記構成の通信システムにおける送信装置によれば、送信される信号に対して、送信スプリアスを抑制することができる。
【００２３】
さらに、請求項１３に記載の本発明の移動体通信システムにおける移動局装置は、請求項１１に記載の受信装置および請求項１２に記載の送信装置を備えたことを特徴としている。
上記構成の移動体通信システムにおける移動局装置によれば、受信される信号に対して、例えば妨害信号等が混入している場合であっても、所望の信号のみを抽出することができる。また、送信される信号に対して、送信スプリアスを抑制することができる。
【００２４】
さらに、請求項１４に記載の本発明の移動体通信システムにおける基地局装置は、請求項１１に記載の受信装置および請求項１２に記載の送信装置を備えたことを特徴としている。
上記構成の移動体通信システムにおける基地局装置によれば、受信される信号に対して、例えば妨害信号等が混入している場合であっても、所望の信号のみを抽出することができる。また、送信される信号に対して、送信スプリアスを抑制することができる。
【００２５】
さらに、請求項１５に記載の本発明の無線通信装置（例えば、後述する実施の形態における無線通信装置８０）は、請求項１から請求項６の何れかに記載の電子部品、および、請求項７に記載の増幅装置、および、請求項８に記載の分配装置、および、請求項９に記載の合成装置、および、請求項１０に記載の切替装置、および、請求項１１に記載の受信装置、および、請求項１２に記載の送信装置、および、請求項１３に記載の移動局装置、および、請求項１４に記載の基地局装置の何れかを備え、無線通信を行うことを特徴としている。
上記構成の無線通信装置によれば、受信される信号に対して、例えば妨害信号等が混入している場合であっても、所望の信号のみを抽出することができる。また、送信される信号に対して、送信スプリアスを抑制することができる。
【００２６】
【発明の実施の形態】
以下、本発明の一実施形態に係るシールド構造を有する電子部品について添付図面を参照しながら説明する。図１は本発明の一実施形態に係るシールド構造を有する電子部品１０の平面図であり、図２は図１に示すシールド構造を有する電子部品１０の側面図であり、図３（ａ）は図１に示すシールド構造を有する電子部品１０において保護部材１５の自然状態を示す模式図であり、図３（ｂ）は図１に示すシールド構造を有する電子部品１０において保護部材１５の弾性変形状態の一例を示す模式図である。
本実施の形態によるシールド構造を有する電子部品１０は、例えばランガサイト（Ｌａ３Ｇａ５ＳｉＯ１４）を圧電体として備えるＳＡＷフィルター１１を実装するものであって、図１に示すように、例えばプリント基板１２上の平面視長方形等の実装領域１３には、対向する２辺の長辺にて露出する複数対の端子電極、つまり対をなす入力側端子電極と出力側端子電極とを備えている。
【００２７】
ここで、各端子電極において、例えば対角方向で対向する一対の入力側端子電極１２ａおよび出力側端子電極１２ｂのみが、ＳＡＷフィルター１１の各入力端子および出力端子に接続され、他の端子電極は接地されている。すなわち、ＳＡＷフィルター１１内に入力される周波数信号の伝送方向Ｐは、例えば長辺と平行な方向とされている。
【００２８】
ＳＡＷフィルター１１の各入力端子および出力端子に接続される入力側端子電極１２ａおよび出力側端子電極１２ｂには、各マイクロストリップライン１４，１４が接続されている。
各端子電極１２ａ，１２ｂに接続されたマイクロストリップライン１４，１４は、例えばＬ字型に屈曲しており、ＳＡＷフィルター１１の実装領域１３から所定距離＃Ｌ（例えば、１０ｍｍ等）だけ離間した位置（つまり屈曲位置）において、ＳＡＷフィルター１１内での周波数信号の伝送方向Ｐに対して平行な方向に沿って、互いに反対方向に伸びるようにして設けられている。
【００２９】
プリント基板１２上の実装領域１３に装着されたＳＡＷフィルター１１の表面１１Ａ上には、例えば導電性シート等が被覆されてなる表面を有する保護部材１５が載置されている。ここで、保護部材１５の導電性の表面の中、ＳＡＷフィルター１１の表面１１Ａに面接触することによって、この表面１１Ａを覆う保護部材１５の導電性被覆面１５Ａの大きさは、ＳＡＷフィルター１１の表面１１Ａと同等、もしくは、より小さい大きさとなるように設定されている。
例えば、ＳＡＷフィルター１１の表面１１Ａの大きさが、縦１７ｍｍ×横６ｍｍであれば、この表面１１Ａを覆う保護部材１５の導電性被覆面１５Ａの大きさは、縦１７ｍｍ以下×横（６±１）ｍｍ程度となるように設定されている。
【００３０】
さらに、プリント基板１２上には、ＳＡＷフィルター１１の実装領域１３の周囲を取り囲むようにして、金属（例えば、銅等）からなる枠状のシールド枠部材１６が設けられ、さらに、このシールド部材１６を、プリント基板１２とによって両側から挟み込むようにして、金属（例えば、銅等）からなる蓋状のシールド蓋部材１７が設けられている。
そして、ＳＡＷフィルター１１の表面１１Ａ上に載置された保護部材１５の表面（導電性被覆面１５Ｂ）は、シールド蓋部材１７の内面１７Ａに面接触するように設定されている。すなわち、保護部材１５は、ＳＡＷフィルター１１の表面１１Ａおよびシールド蓋部材１７の内面１７Ａによって両側から挟み込まれるようにして配置されている。
ここで、例えば、プリント基板１２の表面上から突出するシールド枠部材１６の高さが７ｍｍであれば、保護部材１５の厚さ、つまり保護部材１５の一方の導電性被覆面１５Ａと他方の導電性被覆面１５Ｂとの間の距離は５．０ｍｍ〜６．０ｍｍ程度となるように設定されている。
【００３１】
なお、保護部材１５は弾性変形可能とされ、例えばＳＡＷフィルター１１の表面１１Ａと、シールド蓋部材１７の内面１７Ａとによって両側から挟み込まれることによって弾性変形させられた状態における保護部材１５の厚さは、好ましくは、自然状態での厚さの５０〜８０％となるように設定されている。
すなわち、保護部材１５を自然状態に比べて厚さ方向に２０〜５０％だけ潰すようにして配置することによって、保護部材１５の位置ずれ等を防止することができ、ＳＡＷフィルター１１の所望の減衰特性を安定的に再現性良く得ることができる。
【００３２】
ここで、例えば図３（ａ）に示すように、ＳＡＷフィルター１１の表面１１Ａ上に載置された保護部材１５に対して、例えば図３（ｂ）に示すように、シールド蓋部材１７等によって上方から荷重を作用させた際に、弾性変形した保護部材１５がＳＡＷフィルター１１の表面１１Ａよりも下方に沈み込むことがなく、かつ、ＳＡＷフィルター１１の表面１１Ａ上から外側に向かい突出する部分が形成されることがないように設定されている。
【００３３】
なお、ＳＡＷフィルターの実装領域１３内において、隣り合う各端子電極間と、対向する各端子電極間には、所定径（例えば、直径０．３ｍｍ等）の複数のスルーホール（図示略）が設けられており、各スルーホール内にはプリント基板１２の表面と、接地された裏面とを導通するための導電材が備えられている。また、ＳＡＷフィルター１１の実装領域１３以外のプリント基板１２には、所定の径（例えば、直径０．５ｍｍ等）の複数のスルーホール（図示略）が所定間隔（例えば、２〜３ｍｍ等）を置いて設けられている。
【００３４】
本実施の形態によるシールド構造を有する電子部品１０は上記構成を備えている。
このシールド構造を有する電子部品１０において、入力側端子電極１２ａおよび出力側端子電極１２ｂを介して、ＳＡＷフィルター１１内に周波数信号を伝送させる場合、ＳＡＷフィルター１１の表面１１Ａを、この表面１１Ａと同等、もしくは、より小さい大きさの導電性被覆面１５Ａを有する保護部材１５によって被覆したことにより、例えば入力側端子電極１２ａから入力される周波数信号が、直接に出力側端子電極１２ｂへ伝送されてしまうことを防止すると共に、外部からの電磁波や雑音の影響を抑制することができる。
【００３５】
すなわち、入力側端子電極１２ａから入力される周波数信号は、ＳＡＷフィルター１１の入力端子から出力端子を介して、ＳＡＷフィルター１１内を伝送させられた後に、出力側端子電極１２ｂへ到達する過程において、ＳＡＷフィルター１１内にて所望の帯域透過処理が施されるようになる。
これにより、ＳＡＷフィルター１１の表面１１Ａを保護部材１５によって覆う際に、ＳＡＷフィルター１１の減衰特性が劣化することを防止することができる。
【００３６】
上述したように、本実施の形態によるシールド構造を有する電子部品１０によれば、実装されるＳＡＷフィルター１１の減衰特性が劣化することを防止することができ、例えばランガサイトを圧電体として備えるＳＡＷフィルター１１であっても、所望の減衰特性を確実に得ることができる。
【００３７】
以下に、本実施の形態によるシールド構造を有する電子部品１０にランガサイトを圧電体として備えるＳＡＷフィルター１１を実装した際の減衰特性に対する試験結果の一例について添付図面を参照しながら説明する。
【００３８】
図４は本実施形態に対する比較例１でのＳＡＷフィルター１１の減衰特性を示すグラフ図であり、図５は本実施形態に対する比較例２でのＳＡＷフィルター１１の減衰特性を示すグラフ図であり、図６は本実施形態の第１実施例でのＳＡＷフィルター１１の減衰特性を示すグラフ図であり、図７（ａ）は本実施形態の第２実施例に係るシールド構造を有する電子部品１０の平面図であり、図７（ｂ）は図７（ａ）に示すシールド構造を有する電子部品１０の側面図であり、図８は本実施形態の第２実施例でのＳＡＷフィルター１１の減衰特性を示すグラフ図であり、図９（ａ）は本実施形態の第３実施例に係るシールド構造を有する電子部品１０の平面図であり、図９（ｂ）は図９（ａ）に示すシールド構造を有する電子部品１０の側面図であり、図１０は本実施形態の第３実施例でのＳＡＷフィルター１１の減衰特性を示すグラフ図であり、図１１（ａ）は本実施形態の第４実施例に係るシールド構造を有する電子部品１０の平面図であり、図１１（ｂ）は図１１（ａ）に示すシールド構造を有する電子部品１０の側面図であり、図１２は本実施形態の第４実施例でのＳＡＷフィルター１１の減衰特性を示すグラフ図であり、図１３（ａ）は本実施形態の第５実施例に係るシールド構造を有する電子部品１０の平面図であり、図１３（ｂ）は図１３（ａ）に示すシールド構造を有する電子部品１０の側面図であり、図１４は本実施形態の第５実施例でのＳＡＷフィルター１１の減衰特性を示すグラフ図である。
【００３９】
なお、以下においては、図１および図２に示すように、例えば自然状態にて外観略円柱状とされた導電性シートからなる保護部材１５の軸線方向が、ＳＡＷフィルター１１内での周波数信号の伝送方向Ｐに対して平行となるように配置され、保護部材１５がＳＡＷフィルター１１の表面１１Ａとシールド蓋部材１７の内面１７Ａとによって両側から挟み込まれるようにして弾性変形させられた状態でのシールド構造を有する電子部品１０を第１実施例とする。
【００４０】
また、図７（ａ），（ｂ）に示すように、例えば自然状態にて外観略円柱状とされた導電性シートからなる２つの保護部材１５，１５の各軸線方向が、ＳＡＷフィルター１１内での周波数信号の伝送方向Ｐに対して平行となるように、２つの保護部材１５，１５が厚さ方向に二段重ねに配置され、ＳＡＷフィルター１１の表面１１Ａとシールド蓋部材１７の内面１７Ａとによって両側から挟み込まれるようにして弾性変形させられた状態でのシールド構造を有する電子部品１０を第２実施例とする。
【００４１】
また、図９（ａ），（ｂ）に示すように、例えば自然状態にて外観略円柱状とされた導電性シートからなる１つの保護部材１５の軸線方向が、ＳＡＷフィルター１１内での周波数信号の伝送方向Ｐに対して直交するように配置され、さらに、ＳＡＷフィルター１１の表面１１Ａとシールド蓋部材１７の内面１７Ａとによって両側から挟み込まれるようにして弾性変形させられた状態でのシールド構造を有する電子部品１０を第３実施例とする。
【００４２】
また、図１１（ａ），（ｂ）に示すように、例えば自然状態にて外観略円柱状とされた導電性シートからなる２つの保護部材１５，１５の各軸線方向が、ＳＡＷフィルター１１内での周波数信号の伝送方向Ｐに対して直交するように配置され、さらに、これら２つの保護部材１５，１５が伝送方向Ｐに沿って隣接するように配置され、ＳＡＷフィルター１１の表面１１Ａとシールド蓋部材１７の内面１７Ａとによって両側から挟み込まれるようにして弾性変形させられた状態でのシールド構造を有する電子部品１０を第４実施例とする。
【００４３】
また、図１３（ａ），（ｂ）に示すように、例えば自然状態にて外観略円柱状とされた導電性シートからなる２つの保護部材１５，１５の各軸線方向が、ＳＡＷフィルター１１内での周波数信号の伝送方向Ｐに対して直交するように配置され、さらに、これら２つの保護部材１５，１５が伝送方向Ｐに沿って隣接するように配置されて形成された第１層１５ａと、この第１層１５ａと同等に形成され、第１層１５ａに対して厚さ方向に二段重ねとなるように配置された第２層１５ｂとが、ＳＡＷフィルター１１の表面１１Ａとシールド蓋部材１７の内面１７Ａとによって両側から挟み込まれるようにして弾性変形させられた状態でのシールド構造を有する電子部品１０を第５実施例とする。
【００４４】
また、上述した第１実施例に係るシールド構造を有する電子部品１０において、保護部材１５およびシールド枠部材１６およびシールド蓋部材１７を省略した状態でのシールド構造を有する電子部品を比較例１とした。
また、上述した第１実施例に係るシールド構造を有する電子部品１０において、保護部材１５を省略した状態でのシールド構造を有する電子部品を比較例２とした。
【００４５】
以下に、第１から第５実施例および比較例１，２でのシールド構造を有する電子部品のＳＡＷフィルター１１に対する減衰特性を試験する方法について説明する。
先ず、プリント基板１２の所定位置にはんだを接着し、このはんだの上にＳＡＷフィルター１１を載置し、例えば２３０℃程度に加熱してＳＡＷフィルター１１とプリント基板１２とを接合した。
そして、ＳＡＷフィルター１１の表面１１Ａ上に載置する保護部材１５の導電性被覆面１５Ａ、あるいは、隣接する２つの保護部材１５，１５の導電性被覆面１５Ａ，１５Ａが、ＳＡＷフィルター１１の表面１１Ａの大きさと同等、もしくは、より小さくなるように、１つの保護部材１５あるいは２つの保護部材１５，１５を形成する。
例えば、ＳＡＷフィルター１１の表面１１Ａの大きさが、縦１７ｍｍ×横６ｍｍであれば、この表面１１Ａを覆う保護部材１５の一方の導電性被覆面１５Ａの大きさを、縦１７ｍｍ以下×横（６±１）ｍｍ程度となるように設定する。
【００４６】
そして、保護部材１５を、自然状態に比べて厚さ方向に２０〜５０％だけ潰すように、ＳＡＷフィルター１１の表面１１Ａとシールド蓋部材１７の内面１７Ａとによって両側から挟み込むようにして弾性変形させ、保護部材１５の他方の導電性被覆面１５Ｂがシールド蓋部材１７の内面１７Ａに面接触するように設定する。
例えば、プリント基板１２の表面上から突出するシールド枠部材１６の高さが、７ｍｍであれば、保護部材１５の厚さ、つまり保護部材１５の一方の導電性被覆面１５Ａと他方の導電性被覆面１５Ｂとの間の距離は、５．０ｍｍ〜６．０ｍｍ程度となるように設定する。
そして、ＳＡＷフィルター１１の減衰特性を測定する。
【００４７】
以下に、試験の結果について説明する。
図４に示す、保護部材１５およびシールド枠部材１６およびシールド蓋部材１７を省略した状態での比較例１の減衰特性（約７２ｄＢ）に対して、図５に示すように、保護部材１５が省略されたＳＡＷフィルターの周囲を取り囲むシールド枠部材１６およびシールド蓋部材１７を設けた比較例２では、減衰特性が約６０ｄＢに劣化していることがわかる。
また、略円筒状の保護部材１５の軸線方向をＳＡＷフィルター１１内での周波数信号の伝送方向Ｐに対して平行となるように配置した第１実施例の減衰特性（約７０ｄＢ）および第２実施例の減衰特性（約７２ｄＢ）は、比較例１の減衰特性（約７２ｄＢ）とほぼ同等であることがわかる。
そして、略円筒状の保護部材１５の軸線方向をＳＡＷフィルター１１内での周波数信号の伝送方向Ｐに対して直交するように配置した第３実施例の減衰特性（約７６ｄＢ）および第４実施例の減衰特性（約７９ｄＢ）および第５実施例の減衰特性（約８０ｄＢ）は、第１実施例および第２実施例よりも向上していることがわかる。
【００４８】
これにより、保護部材１５の形状および大きさを変更することによって、例えばプリント基板１２上を流れる電流の振る舞い等を変更することができ、例えば水晶を圧電体として備えるＳＡＷフィルターの減衰特性（例えば、３０〜４０ｄＢ等）に比べて、例えばランガサイト（Ｌａ３Ｇａ５ＳｉＯ１４）を圧電体として備えるＳＡＷフィルター１１の減衰特性（例えば、６０〜７０ｄＢ等）のように、より高い減衰特性を有効かつ安定に利用することができる。
そして、ランガサイトを圧電体として備えるＳＡＷフィルター１１の高い減衰特性を有効かつ安定に利用することにより、必要とするＳＡＷフィルター１１の数量を削減しつつ、所望の帯域外減衰量を確保することができる。
【００４９】
なお、上述した本実施の形態に係る電子部品１０によれば、例えば図１５に示すＳＡＷフィルターの周波数特性の図のように、例えば水晶を圧電体として備えるＳＡＷフィルターの減衰特性（例えば、３０〜４０ｄＢ等）に比べて、例えばランガサイト（Ｌａ３Ｇａ５ＳｉＯ１４）を圧電体として備えるＳＡＷフィルター１１の減衰特性（例えば、６０〜７０ｄＢ等）のように、より高い減衰特性を有効に利用することができる。
【００５０】
また、本実施の形態によるシールド構造を有する電子部品１０を、例えば移動体通信システムの移動局装置や基地局装置、さらに、通信システムにおける増幅装置や分配装置や合成装置や切替装置や受信装置や送信装置等や、無線通信装置等に備えた場合には、装置の小型化および軽量化が可能となり、受信信号に対して所望の帯域外減衰量特性を得ることができ、妨害波による混信を抑制することができ、送信信号に対して送信スプリアスを抑制することができる。
【００５１】
以下、本発明の一実施形態に係る電子部品を備えた通信システムにおける増幅装置および分配装置および合成装置および切替装置および受信装置および送信装置、および、該電子部品を備えた移動体通信システムにおける移動局装置および基地局装置、および、該電子部品を備えた無線通信装置について添付図面を参照しながら説明する。
図１６は本発明の一実施形態に係る電子部品１０を備えた通信システムにおける増幅装置２０を示す構成図であり、図１７は図１６に示す増幅装置２０を備えた通信システム２５の構成図であり、図１８および図１９は本発明の一実施形態に係る電子部品１０を備えた通信システムにおける分配装置３０を示す構成図であり、図２０は図１８または図１９に示す分配装置３０を備えた通信システム３５の構成図であり、図２１および図２２は本発明の一実施形態に係る電子部品１０を備えた通信システムにおける合成装置４０を示す構成図であり、図２３は図２１または図２２に示す合成装置４０を備えた通信システム４５の構成図であり、図２４は本発明の一実施形態に係る電子部品１０を備えた通信システムにおける切替装置５０を示す構成図であり、図２５および図２６は本発明の一実施形態に係る電子部品１０を備えた通信システムにおける受信装置６０を示す構成図であり、図２７および図２８は本発明の一実施形態に係る電子部品１０を備えた通信システムにおける送信装置７０を示す構成図であり、図２９は本発明の一実施形態に係る電子部品１０を備えた無線通信装置８０を示す構成図である。
【００５２】
本実施の形態による電子部品１０を備えた通信システムにおける増幅装置２０は、例えば図１６に示すように、入力端子２０Ａを介して入力信号の伝送線路２０ａに接続された増幅器２１と、この増幅器２１に接続され、例えばランガサイトを圧電体として備えるＳＡＷフィルター１１を実装する電子部品１０と、電子部品１０から出力される信号を出力端子２０Ｂを介して伝送線路２０ｂへ出力する増幅器２２とを備えて構成されている。
上記構成の増幅装置２０によれば、伝送線路２０ａにおいて、入力信号に雑音が混入した場合でも、所望の信号のみを増幅して伝送線路２０ｂへ送出することができる。しかも、電子部品１０にランガサイトを圧電体として備えるＳＡＷフィルター１１を実装することで、例えば水晶を圧電体として備えるＳＡＷフィルターを実装する場合に比べて、より高い妨害波除去性能を得ることができる。
【００５３】
例えば、帯域外減衰量として６０ｄＢ以上が必要な場合に、水晶を圧電体として備えるＳＡＷフィルターでは、ＳＡＷフィルターを２段に構成する必要がある。しかしながら、ランガサイトを圧電体として備えるＳＡＷフィルター１１では、１つのＳＡＷフィルター１１のみで、所望の帯域外減衰量を確保することができる。これにより、装置の小型化および軽量化が可能となる。
なお、この増幅装置２０において、増幅器２１，２２は、電子部品１０内に配置されてもよい。また、増幅器の個数は２つに限らず、適宜の個数の増幅器を備えてもよい。
【００５４】
また、この増幅装置２０は、例えば屋外等の周囲の雑音が相対的に大きい場所から伝送されてきた信号を、例えば屋内や遮蔽された室内等のように周囲の雑音が相対的に小さい場所において増幅する場合等に有効に適用することができる。例えば図１７に示す通信システム２５において、送信装置２６から伝送路２５ａを介して増幅装置２０に入力された信号は、増幅装置２０において、伝送路２５ａにて混入した雑音等が除去された後に、所望の信号のみが増幅される。そして、増幅装置２０にて増幅された信号は伝送路２５ｂを介して受信装置２７へ送出される。
【００５５】
本実施の形態による電子部品１０を備えた通信システムにおける分配装置３０は、例えば図１８に示すように、入力端子３０Ａを介して入力信号の伝送線路３０ａに接続された増幅器３１と、この増幅器３１に接続され、例えばランガサイトを圧電体として備えるＳＡＷフィルター１１を実装する電子部品１０と、電子部品１０から出力される信号を分配し、各出力端子３０Ｂ，３０Ｃを介して２つの伝送線路３０ｂ，３０ｃへ出力する分配器３２とを備えて構成されている。
上記構成の分配装置３０によれば、伝送線路３０ａにおいて、入力信号に雑音が混入した場合でも、所望の信号のみを分配して伝送線路３０ｂまたは３０ｃの何れか一方へ送出することができる。
なお、この分配装置３０において、増幅器３１および分配器３２は、電子部品１０内に配置されてもよい。また、増幅器の個数は１つに限らず、適宜の個数の増幅器を備えてもよい。
【００５６】
なお、本実施の形態による電子部品１０を備えた通信システムにおける分配装置３０は、例えば図１９に示すように、分配器３２にて分配された各信号を、さらに電子部品１０，１０へ入力した後に、各出力端子３０Ｂ，３０Ｃを介して２つの伝送線路３０ｂ，３０ｃへ出力してもよい。この場合、さらに、分配後の各電子部品１０，１０から出力された信号を、増幅器を介して各出力端子３０Ｂ，３０Ｃへ出力してもよい。
【００５７】
例えば図２０に示す通信システム３５において、送信装置３６から伝送路３５ａを介して分配装置３０に入力された信号は、分配装置３０において、例えば２つの信号に分配され、各信号は伝送路３５ｂ，３５ｃを介して各受信装置３７，３８へ送出される。
ここで、分配装置３０は、入力された信号を２つに限らず、適宜の数に分配してもよい。
【００５８】
本実施の形態による電子部品１０を備えた通信システムにおける合成装置４０は、例えば図２１に示すように、入力端子４０Ａを介して入力信号の伝送線路４０ａおよび入力端子４０Ｂを介して入力信号の伝送線路４０ｂに接続され、入力される２つの信号を合成する合成部４１と、この合成部４１に接続され、例えばランガサイトを圧電体として備えるＳＡＷフィルター１１を実装する電子部品１０と、電子部品１０から出力される信号を増幅し、出力端子４０Ｃを介して伝送線路４０ｃへ出力する増幅器４２とを備えて構成されている。
上記構成の合成装置４０によれば、伝送線路４０ａおよび伝送線路４０ｂにおいて、入力信号に雑音が混入した場合でも、所望の信号のみを合成して伝送線路４０ｃへ送出することができる。
なお、この合成装置４０において、合成部４１および増幅器４２は、電子部品１０内に配置されてもよい。また、この合成装置４０において、増幅器４２は省略されてもよい。
【００５９】
なお、本実施の形態による電子部品１０を備えた通信システムにおける合成装置４０は、例えば図２２に示すように、入力端子４０Ａを介して入力信号の伝送線路４０ａに接続された電子部品１０および入力端子４０Ｂを介して入力信号の伝送線路４０ｂに接続された電子部品１０から出力された各信号を合成部４１にて合成してもよい。この場合、合成部４１から出力された信号は、電子部品１０を介さずに伝送線路４０ｃへ送出されてもよい。
【００６０】
例えば図２３に示す通信システム４５において、送信装置４６から伝送路４５ａを介して入力された信号および送信装置４７から伝送路４５ｂを介して入力された信号は、合成装置４０において合成され、受信装置４８へ送出される。
ここで、合成装置４０は、入力された２つの信号に限らず、適宜の数の入力信号を合成してもよい。
【００６１】
本実施の形態による電子部品１０を備えた通信システムにおける切替装置５０は、例えば図２４に示すように、送信装置５６と、受信装置５７とを備える通信システム５５内に配置され、入力端子５０Ａを介して入力信号の伝送路５５ａに接続され、入力信号の伝送経路を増幅装置２０または伝送路５３の何れか一方に切り替える入力側スイッチ５１と、増幅装置２０または伝送路５３の何れか一方から出力される信号を、出力端子５０Ｂを介して伝送路５５ｂへ出力する出力側スイッチ５２とを備えて構成されている。
上記構成の切替装置５０によれば、例えば伝送路５５ａにて入力信号に混入する雑音が大きい場合等において、入力信号の帯域を制限して所望の信号のみを伝送させたい場合には、入力側スイッチ５１にて入力端子５０Ａと増幅装置２０とを接続し、出力側スイッチ５２にて出力端子５０Ｂと増幅装置２０とを接続する。一方、帯域制限が不要な場合には、入力側スイッチ５１にて入力端子５０Ａと伝送路５３とを接続し、出力側スイッチ５２にて出力端子５０Ｂと伝送路５３とを接続する。
なお、この切替装置５０において、増幅装置２０の増幅器２１，２２および各スイッチ５１，５２および伝送路５３は、増幅装置２０の電子部品１０内に配置されてもよい。
【００６２】
本実施の形態による電子部品１０を備えた通信システムにおける受信装置６０は、例えば送信装置およびアンテナ等を備える移動体通信システムにおける移動局装置または基地局装置または無線通信装置等に備えられ、例えば図２５に示すように、線路６０ａを介してアンテナ６２に接続される増幅装置２０と、検波部６１とを備えて構成されている。
上記構成の受信装置６０によれば、アンテナ６２を介して受信される信号に対して、例えば妨害信号等が混入している場合であっても、所望の信号のみを抽出することができる。
なお、この受信装置６０を備える移動体通信システムにおける移動局装置または基地局装置または無線通信装置等においては、例えば図２６に示すように、アンテナ６２と受信装置６０との間に増幅装置２０を備えてもよい。
【００６３】
本実施の形態による電子部品１０を備えた通信システムにおける送信装置７０は、例えば受信装置およびアンテナ等を備える移動体通信システムにおける移動局装置または基地局装置または無線通信装置等に備えられ、例えば図２７に示すように、変調部７１と、変調部７１から出力される信号を中継するプリント基板１０を具備する中継装置７２とを備え、中継装置７２から出力される信号は線路７０ａを介してアンテナ７３へ送出される。
上記構成の送信装置７０によれば、アンテナ７３を介して送信される信号に対して、送信スプリアスを抑制することができる。
なお、この送信装置７０を備える移動体通信システムにおける移動局装置または基地局装置または無線通信装置等においては、例えば図２８に示すように、アンテナ７３と送信装置７０との間に中継装置７２を備えてもよい。
【００６４】
本実施の形態による電子部品１０を備えた通信システムにおける無線通信装置８０は、例えば送信装置および受信装置およびアンテナ等を備える移動体通信システムにおける移動局装置または基地局装置または無線通信装置等をなすものであって、例えば図２９に示すように、線路８０ａを介してアンテナ８１に接続される分配装置３０と、線路８０ｂおよび線路８０ｃを介して分配装置３０と接続される、例えば２つの受信装置８２ａ，８２ｂとを備えて構成されている。
さらに、２つの受信装置８２ａ，８２ｂは、例えば同等の構成を有し、例えば受信装置８２ａは、線路８０ｂに接続された増幅装置２０と、この増幅装置２０に接続された周波数変換部８３と、周波数変換部８３から出力される信号が増幅装置２０を介して入力される検波部６１とを備え構成されている。
上記構成の無線通信装置８０によれば、アンテナ８１を介して受信される信号に対して、例えば妨害信号等が混入している場合であっても、所望の信号のみを抽出することができる。また、アンテナ８１を介して送信される信号に対して、送信スプリアスを抑制することができる。
【００６５】
上述したように、本実施の形態による電子部品１０は、例えば増幅装置２０、分配装置３０、合成装置４０、切替装置５０、受信装置６０、送信装置７０等に備えることができ、例えば、これらの装置２０，…，７０の何れか、あるいは、電子部品１０を、例えば移動体通信システムの移動局装置や基地局装置に備えた場合には、受信信号に対して所望の帯域外減衰量特性を得ることができ、妨害波による混信を抑制することができ、送信信号に対して送信スプリアスを抑制することができる。
また、ランガサイトを圧電体として備えるＳＡＷフィルター１１を電子部品１０に実装することにより、必要とするＳＡＷフィルター１１の数量を削減しつつ、所望の帯域外減衰量を確保することができ、装置の小型化および軽量化が可能となる。
【００６６】
【発明の効果】
以上説明したように、請求項１に記載の本発明のシールド構造を有する電子部品によれば、フィルターの表面に当接し、このフィルターの表面を覆う保護部材の表面の大きさが、フィルターの表面と同等の大きさに、もしくは、フィルターの表面より小さく形成されることにより、フィルターに入力される入力信号が、例えばフィルターの表面の上方の空間やプリント基板上等を伝搬してしまうことを抑制して、確実にフィルター内を伝送するように設定することができると共に、外部からの電磁波や雑音の影響を確実に抑制することができる。これにより、フィルターに入力される入力信号に対するフィルターの減衰特性が低下することを防止することができる。
【００６７】
さらに、請求項２に記載の本発明のシールド構造を有する電子部品によれば、外部からの電磁波や雑音の影響を確実に抑制することができ、フィルターに入力される入力信号に対するフィルターの減衰特性が低下することを、より一層、確実に防止することができる。
【００６８】
さらに、請求項３に記載の本発明のシールド構造を有する電子部品によれば、フィルターの表面およびシールドボックスの内面に当接するように配置された保護部材の位置ずれ等を防止することができ、フィルターの所望の減衰特性を安定的に再現性良く得ることができる。
ここで、例えば弾性変形状態の保護部材の厚さが自然状態の５０％未満になると、保護部材を弾性変形状態に保持するために要する加重が過剰に大きくなり、フィルターの破損等が発生する虞があり、逆に、弾性変形状態の保護部材の厚さが自然状態の８０％を超えると、保護部材の位置ずれ等を防止することができなくなる。
【００６９】
さらに、請求項４に記載の本発明のシールド構造を有する電子部品によれば、フィルターに入力される入力信号が、例えばフィルターの表面の上方の空間やシールド構造を有する電子部品上等を伝搬してしまうことを抑制して、フィルターに入力される入力信号に対するフィルターの減衰特性が低下することを防止することができる。
さらに、請求項５に記載の本発明のシールド構造を有する電子部品によれば、フィルターに入力される入力信号が、例えばフィルターの表面の上方の空間やシールド構造を有する電子部品上等を伝搬してしまうことを確実に抑制して、フィルターに入力される入力信号に対するフィルターの減衰特性が低下することを、より一層、確実に防止することができる。
さらに、請求項６に記載の本発明のシールド構造を有する電子部品によれば、入力信号に対するフィルターの減衰特性が低下することを防止して、例えば水晶等を圧電体として備えるＳＡＷフィルターに比べて、より高い所望の減衰特性を確実に得ることができる。
【００７０】
さらに、請求項７に記載の本発明の通信システムにおける増幅装置によれば、所望の信号のみを増幅して送出することができる。
さらに、請求項８に記載の本発明の通信システムにおける分配装置によれば、入力信号に雑音が混入した場合でも、所望の信号のみを分配して送出することができる。
さらに、請求項９に記載の本発明の通信システムにおける合成装置によれば、入力信号に雑音が混入した場合でも、所望の信号のみを合成して送出することができる。
【００７１】
さらに、請求項１０に記載の本発明の通信システムにおける切替装置によれば、例えば入力信号に対して帯域制限を実行するか否か等の切り替えを行うことができ、多様な処理の実行が可能となる。
さらに、請求項１１に記載の本発明の通信システムにおける受信装置によれば、受信される信号に対して、例えば妨害信号等が混入している場合であっても、所望の信号のみを抽出することができる。
さらに、請求項１２に記載の本発明の通信システムにおける送信装置によれば、送信される信号に対して、送信スプリアスを抑制することができる。
【００７２】
さらに、請求項１３に記載の本発明の移動体通信システムにおける移動局装置によれば、受信される信号に対して、例えば妨害信号等が混入している場合であっても、所望の信号のみを抽出することができる。また、送信される信号に対して、送信スプリアスを抑制することができる。
さらに、請求項１４に記載の本発明の移動体通信システムにおける基地局装置によれば、受信される信号に対して、例えば妨害信号等が混入している場合であっても、所望の信号のみを抽出することができる。また、送信される信号に対して、送信スプリアスを抑制することができる。
【００７３】
さらに、請求項１５に記載の本発明の無線通信装置によれば、受信される信号に対して、例えば妨害信号等が混入している場合であっても、所望の信号のみを抽出することができる。また、送信される信号に対して、送信スプリアスを抑制することができる。
【図面の簡単な説明】
【図１】本発明の一実施形態に係るシールド構造を有する電子部品の平面図である。
【図２】図１に示すシールド構造を有する電子部品の側面図である。
【図３】図３（ａ）は図１に示すシールド構造を有する電子部品において保護材の自然状態を示す模式図であり、図３（ｂ）は図１に示すシールド構造を有する電子部品において保護材の弾性変形状態の一例を示す模式図である。
【図４】本実施形態に対する比較例１でのＳＡＷフィルターの減衰特性を示すグラフ図である。
【図５】本実施形態に対する比較例２でのＳＡＷフィルターの減衰特性を示すグラフ図である。
【図６】本実施形態の第１実施例でのＳＡＷフィルターの減衰特性を示すグラフ図である。
【図７】図７（ａ）は本実施形態の第２実施例に係るシールド構造を有する電子部品の平面図であり、図７（ｂ）は図７（ａ）に示すシールド構造を有する電子部品の側面図である。
【図８】本実施形態の第２実施例でのＳＡＷフィルターの減衰特性を示すグラフ図である。
【図９】図９（ａ）は本実施形態の第３実施例に係るシールド構造を有する電子部品の平面図であり、図９（ｂ）は図９（ａ）に示すシールド構造を有する電子部品の側面図である。
【図１０】本実施形態の第３実施例でのＳＡＷフィルターの減衰特性を示すグラフ図である。
【図１１】図１１（ａ）は本実施形態の第４実施例に係るシールド構造を有する電子部品の平面図であり、図１１（ｂ）は図１１（ａ）に示すシールド構造を有する電子部品の側面図である。
【図１２】本実施形態の第４実施例でのＳＡＷフィルターの減衰特性を示すグラフ図である。
【図１３】図１３（ａ）は本実施形態の第５実施例に係るシールド構造を有する電子部品の平面図であり、図１３（ｂ）は図１３（ａ）に示すシールド構造を有する電子部品の側面図である。
【図１４】本実施形態の第５実施例でのＳＡＷフィルターの減衰特性を示すグラフ図である。
【図１５】ＳＡＷフィルターの周波数特性を示す図である。
【図１６】本発明の一実施形態に係る電子部品を備えた通信システムにおける増幅装置を示す構成図である。
【図１７】図１６に示す増幅装置を備えた通信システムの構成図である。
【図１８】本発明の一実施形態に係る電子部品を備えた通信システムにおける分配装置を示す構成図である。
【図１９】本発明の一実施形態に係る電子部品を備えた通信システムにおける分配装置を示す構成図である。
【図２０】図１８または図１９に示す分配装置を備えた通信システムの構成図である。
【図２１】本発明の一実施形態に係る電子部品を備えた通信システムにおける合成装置を示す構成図である。
【図２２】本発明の一実施形態に係る電子部品を備えた通信システムにおける合成装置を示す構成図である。
【図２３】図２１または図２２に示す合成装置を備えた通信システムの構成図である。
【図２４】本発明の一実施形態に係る電子部品を備えた通信システムにおける切替装置を示す構成図である。
【図２５】本発明の一実施形態に係る電子部品を備えた通信システムにおける受信装置を示す構成図である。
【図２６】本発明の一実施形態に係る電子部品を備えた通信システムにおける受信装置を示す構成図である。
【図２７】本発明の一実施形態に係る電子部品を備えた通信システムにおける送信装置を示す構成図である。
【図２８】本発明の一実施形態に係る電子部品を備えた通信システムにおける送信装置を示す構成図である。
【図２９】本発明の一実施形態に係る電子部品を備えた無線通信装置を示す構成図である。
【符号の説明】
１０　シールド構造を有する電子部品
１１　ＳＡＷフィルター（フィルター）
１２　プリント基板
１３　実装領域
１４　マイクロストリップライン
１５　保護部材
１６　シールド枠部材（シールドボックス）
１７　シールド蓋部材（シールドボックス）
２０　増幅装置
３０　分配装置
４０　合成装置
５０　切替装置
６０　受信装置
７０　送信装置
８０　無線通信装置
【図１】
2004032158.tif 000003
【図２】
2004032158.tif 000004
【図３】
2004032158.tif 000005
【図４】
2004032158.tif 000006
【図５】
2004032158.tif 000007
【図６】
2004032158.tif 000008
【図７】
2004032158.tif 000009
【図８】
2004032158.tif 000010
【図９】
2004032158.tif 000011
【図１０】
2004032158.tif 000012
【図１１】
2004032158.tif 000013
【図１２】
2004032158.tif 000014
【図１３】
2004032158.tif 000015
【図１４】
2004032158.tif 000016
【図１５】
2004032158.tif 000017
【図１６】
2004032158.tif 000018
【図１７】
2004032158.tif 000019
【図１８】
2004032158.tif 000020
【図１９】
2004032158.tif 000021
【図２０】
2004032158.tif 000022
【図２１】
2004032158.tif 000023
【図２２】
2004032158.tif 000024
【図２３】
2004032158.tif 000025
【図２４】
2004032158.tif 000026
【図２５】
2004032158.tif 000027
【図２６】
2004032158.tif 000028
【図２７】
2004032158.tif 000029
【図２８】
2004032158.tif 000030
【図２９】
2004032158.tif 000031